(57)【要約】  流体製品ディスペンサであって、流体製品容器と、投与開口部と、そして、投与開口部を密封している取り外し可能な密封部品（２５）とが形作られた流体製品パック（２）と、ケース（１）であって、流体製品パック（２）が挿入されており、スライド移動によってパックをケースの外に出して、取り外し可能な密封部品を取り除くことができる、という前記ケース（１）と、を有し、特徴となるのは、ケース内でのパックのスライド移動を制限する止め手段（１６，２６，２６５）が設けられていることである、というディスペンサ。
2005510426.tif 000002
【特許請求の範囲】
【請求項１】
流体製品ディスペンサであって、
・流体製品容器と、投与開口部と、そして、投与開口部を密封している取り外し可能な密封部品（２５）とが形作られた流体製品パック（２）と、
・ケース（１）であって、流体製品パック（２）が挿入されており、スライド移動によってパックをケースの外に出して、取り外し可能な密封部品を取り除くことができる、という前記ケース（１）と、を有し、
特徴となるのは、
ケース内でのパックのスライド移動を制限する止め手段（１６，２６，２６５）が設けられていることである、
というディスペンサ。
【請求項２】
止め手段（１６，２６）は、ケースからのパック取り出しのためのプル型スライドを止める手段をパック上に有すること、
を特徴とする請求項１に記載のディスペンサ。
【請求項３】
プル型止め手段は、ケースからのパック取り出しのためのプッシュ型スライドを防止する手段をパック上に有すること、
を特徴とする請求項２に記載のディスペンサ。
【請求項４】
ケースは、ケースからパックが引き出されようとする際にパックを保持する保持手段を有すること、
を特徴とする請求項１乃至３のいずれかに記載のディスペンサ。
【請求項５】
保持手段はケース（１）上にスロット（１５）を有し、当該スロットにおいてパックは外に見えており、それによって、密封部分（２５）の位置でパックをつかめるようになっていること、
を特徴とする請求項４に記載のディスペンサ。
【請求項６】
止め手段は、ケースからのパック取り出しのためのプッシュ型スライドを止める手段をパック上に有すること、
を特徴とする請求項１に記載のディスペンサ。
【請求項７】
止め手段はパック上のノッチ（１６５）を有し、当該ノッチにおいてパックは外に出ており、パックを押すことができるようになっていること、
を特徴とする請求項６に記載のディスペンサ。
【請求項８】
止め手段は、各々スロット（１６）に挿入された形で少なくとも１つのスライド（２６）を有し、当該スロットは少なくとも１つスロットの端（１６１）を有し、スライドは当該端に当たって止まる形でスライド移動を終えること、
を特徴とする請求項２、６、７のいずれかに記載のディスペンサ。
【請求項９】
プッシュ型止め手段は、ケースからのパック取り出しのためのプル型スライドを防止する手段をパック上に有すること、
を特徴とする請求項７又は８に記載のディスペンサ。
【請求項１０】
前記防止する手段は、各々スロット（１６）に挿入された形で少なくとも１つのスライド（２６）を有し、当該スロットはスロットの第２の端（１６２）を有し、スライドはスライド移動開始時点では当該端に当たって止まっていること、
を特徴とする請求項３又は９に記載のディスペンサ。
【請求項１１】
止め手段は、スライド移動したパックがケースの外に出る範囲を制限して、取り外し可能な密封部品（２５）だけが外に出るようにすること、
を特徴とする請求項１乃至１０のいずれかに記載のディスペンサ。
【請求項１２】
ケース（１）は、対向する２つの端部（１３，１４）で開いたシースを形成していること、
を特徴とする請求項１乃至１１のいずれかに記載のディスペンサ。
【請求項１３】
流体製品貯蔵器は変形可能な駆動壁を有し、当該駆動壁を押さえることで貯蔵器の容積を小さくすることができること、
を特徴とする請求項１乃至１２のいずれかに記載のディスペンサ。
【発明の詳細な説明】
【技術分野】
【０００１】
本発明は、流体製品の格納を目的とした流体製品パックと流体製品パックが収容されるケースとを有する流体製品ディスペンサに関する。
【背景技術】
【０００２】
こうしたディスペンサについては、特許文書：ＷＯ ００／２１８５３号において具体的に記述されている。当該文書に記述されたディスペンサが有するパックは、熱成形された本体がフィルムで覆われている、という形になっている。パックの本体はさらにフラップによっても覆われており、当該フラップは、部分的または完全に本体を覆い隠している。フラップについては、さらにその一部が、パックの背面を形成するフィルムの上にまで延びる、という形にしてもよい。言い換えると、パックはケースの内部に配置されており、そのケースは部分的または完全にパックを覆っている。パックは、流体製品用の容器を形作ることに加えて、投与開口部を形作っている。当該開口部は、最初の使用までは、取り外し可能な密封部品で密封されており、当該密封部品を折り曲げるか、破るか、切り取ることで投与開口部が開くようになっている。取り外し可能な密封部品は、本体およびカバーフィルムに接続された部品から成る。熱成形された本体の側でパックを覆っているフラップは、取り外し可能な密封部品の上までは延びておらず、そのため、密封部品は、覆い隠されておらず手で触れることのできる状態を永続的に保つことになる。そのため、パックの一部は外から見える状態となり、これは見た目の点から言えば、あまり印象が良くない。
【０００３】
従来技術に関する別の特許文書（すなわち、本願のメイン請求項の前提となる特許文書：ＤＥ ９３０９７４０号）には、同種のディスペンサであって、ケース内に流体製品パックが置かれている、というものに関する記述がある。この場合、上述の文書にあった従来技術（パックがケースの内部に取り付けられているもの）とは異なり、パックは、ケース内部でスライド移動できる形で設置されている。そして、この移動によって当該パックをケースから取り出すことができるのである。そして、本体に形成された持ち上がり面（raised surface）がケースにおけるスロット内部に入る、という構成にすることで、パックがケース内に保持されるようにしてある。当該特許文書には、パックを開ける方法については記述がない。ただし、いずれの場合も、パックが有する投与開口部は、使用前の状態では、取り外し可能な部品によって密封されている。前記取り外し可能な部品については、本体及び／又はフィルムの一部、又は、投与開口部の上に接着されたタブという形を有し、それが取り除かれることで、容器に接続された投与開口部が形成されるか、開かれる。
【０００４】
このドイツの特許文書における発明の場合、パックを開けるためには、当該文書における唯一の図面が示すように、パック全体を完全にケースから抜き出す必要がある。すなわち、ケース内部におけるパックのスライド移動は、完全に自由であり、制限を受けない。その結果、パックをそのケースから取り出した時点では、ユーザの手には２つの別個のアイテム、すなわちパックとケースとが残ることになる。そして、ディスペンサを元の状態に戻そうとすれば、ケースの中にパックを再び挿入しなければならない。しかし、その操作は比較的複雑になるかもしれない。さらに、ユーザは、ディスペンサを最初の使用した後で、有用性の小さくなったケースを捨ててしまう傾向がある。このように、使用されていない時のケースの貢献は、ディスペンサの見た目に関する効果に限定される。
【発明の開示】
【発明が解決しようとする課題】
【０００５】
本発明は、こうした流体製品ディスペンサについて、ディスペンサを分解しない形でパックを開けることができるように改良することを目的とする。本発明はさらに、パックが開けられた後でも、ディスペンサの美的効果が維持されるようにすることを目的とする。また、さらに別の目的として、特定の開口操作を選択するようにユーザを促すことで、パックをより簡単に開けることができるようにする。
【課題を解決するための手段】
【０００６】
これらの目的を達成するために、本発明が提供するのは、流体製品ディスペンサであって、流体製品容器と、投与開口部と、そして、投与開口部を密封している取り外し可能な密封部品とが形作られた流体製品パックと、ケースであって、流体製品パックが挿入されており、スライド移動によってパックをケースの外に出して、取り外し可能な密封部品を取り除くことができる、という前記ケースと、を有し、特徴となるのは、ケース内でのパックのスライド移動を制限する止め手段が設けられていることである、というディスペンサである。
【発明の効果】
【０００７】
こうした構成であるため、単にスライド移動させるだけでパック全体がケースから出てしまうことはあり得ない。ケースは、効果的な構成として、２つの対向する端部で開いたシースの形を成しており、そのため、パックに触れることが可能であり、ユーザはパックを押したり引いたりすることで、これをケース内でスライド移動させることができる。本発明は、パックをケースから取り出すために、プル型またはプッシュ型のスライド止め手段をパックに設けている。この構成では、ケース内でのパックがスライド移動する距離を制限することが可能であり、その距離とは、効果的な構成として、取り外し可能な密封部品の幅に対応している。それにより、スライド移動が終わりまで来た時点で、取り外し可能な密封部品は外に出た状態になる。
【０００８】
実際的な実施の形態として、プル型またはプッシュ型の止め手段は、スライドを少なくとも１つ、スロットに挿入された形で有することとする。また、当該スロットは第１のスロット端部を少なくとも１つ有し、前記スライドはスライド移動の終わりに当該端部に当たって停止する。
ケースを引っぱることができる場合は、効果的な構成として、ケースからパックを引き出せる形でパックを保持することのできる保持手段をケースが有すること、としてもよい。実際的な実施の形態として、保持手段はケース内のスロットの形を取る。このスロットからはパックが見え、密封部品の位置でパックを保持できるようになっている。これによって、パックの取り外し可能な密封部品を保持して、これを、限られた範囲までしかケースの外に引き出せないようにすることができる。また、ケースのスロットから突き出た形としたスライドを、ケース内でパックを動かす際に利用することができる。この場合、スライドは、スロットと連携して止め手段の役割を果たすと共に、ケース内でパックを動かす際の保持手段としても働く。
【０００９】
スロットに挿入されたスライドシステムとは別に、又は、これと組み合わせる形で、プッシュ型止め手段が、ケースに設けられたノッチの形を取ることとしてもよい。当該ノッチではパックが外に出ているため、そこからパックを押すことができる、という構成である。当該ノッチは、指を使ってパックを押すことで、これをケース内でスライド移動させる、という形で用いられる。その結果、ノッチの反対側端部において、取り外し可能な密封部品がケースの外に出てくる。また、スロットに挿入されたスライドを止めるシステムを、このノッチと連動させることにしてもよい。そのようにすれば、ユーザがノッチに指を入れてパックを押す場合、その押す動作は、スライドがスロットの第１の端部に当たって止まった時点で完了となる。また、別の形として、スライドシステムを省略し、ノッチ内へのユーザの指の挿入は、指がノッチの背面に達する位置で止められる、という構成にすることもできる。この場合、ノッチの背面がプッシュ型止め手段を形成することになる。
【００１０】
また、付加的な特徴として、プル型止め手段が、ケースからのパックの取り出しにあたって、プッシュ型スライドを防止する手段をパック上に有することにしてもよい。あるいは、それと対称的に、プッシュ型止め手段の方が、ケースからのパックの取り出しにあたって、プル型スライドを防止する手段をパック上に有することにしてもよい。また、実際的な実施の形態として、防止手段が、スロットに挿入される少なくとも１つのスライドで成ること、としてもよい。当該スロットは第２のスロット端部を有し、スライド移動開始時、スライドは当該端部に接して停止状態となっている。当該防止手段は、初期の止め手段を形成しており、プッシュ型又はプル型のスライド移動にあたって、特定の移動方向をユーザに課す。たとえば、プル型のスライド移動の場合、最初はパックを押そうとしたユーザがいても、取り外し可能な密封部品をケースから取り除くためにはパックを引っぱる必要があることを直ちに理解するであろう。このことは、プッシュ型のスライド移動の場合に当てはめても同様であろう。したがって、本発明による流体製品ディスペンサの使用に当たっては、ユーザのアシストは完全である。パックは、ある方向においてはスライド移動が不可能であり、別の方向においても制限された形でしかスライド移動できない。
【発明を実施するための最良の形態】
【００１１】
本発明については、これ以降の部分で、非限定的な例として本発明に関する２つの実施の形態を示す添付の図面を参照しながら、更に詳細に説明する。
図面に示す２つの実施の形態において、本発明による流体製品ディスペンサは２つの構成部品を有し、それら部品とはケース１、そして、当該ケース１の内部でスライド移動する様態で配置されたパック２である。ここに示すケース１は、パック２を囲むシースの形となっており、２つの対向する端部１３、１４は開いた状態となっている。実際問題として、ケース１については、１枚の折り畳み可能な可撓性素材を折り重ねた上で、例えば、対向する２つの縦方向エッジに沿って接着する、という形で製造すればよい。図に示す実施の形態では、ケース１は、凸形の正面１２と平らな背面１１とを有している。図に見られるケースは、わずかに先細りの形状で、開いた端部１３、１４は短い方の側面に位置しており、面１１、１２は長い方の側面で折り重ねられている。
【００１２】
図１、図２において、ケース１の正面１２と背面１１との接合部にはスロット１６が形成されており、スロットは各々、第１の端部１６１と第２の末端１６２とを有する。これらスロットの機能については、以下に示す。
それに加えて、ケース１の正面１２は比較的可撓性があり、指で押してへこませることが可能な、変形可能駆動壁を形成することができる。
【００１３】
効果的な実施の形態によれば、ケース１の内部に置かれる流体製品パック２は、カバーフィルムと接続されて流体製品のための容器を共に形作るに熱成形本体と、流体製品を容器から取り外す際の通路である投与開口部とを有する。熱成形された本体については、効果的な構成として、変形可能な駆動壁を形作ることにしてもよい。当該駆動壁は、変形することで容器の容積を小さくし、それによって、内部に格納されていた流体製品を投与開口部経由で送り出すことを可能とするものである。
【００１４】
パック２の投与開口部は、使用前の状態では、取り外し可能な密封部品２４によって密閉されており、当該密封部材は弱抵抗線２７を挟んでパックの残り部分に接続されている。よって、線２７に沿って取り外し可能な密封部品２４を折り曲げるか、破るか、切り取ることで、投与開口部を開けることができる。
ケース１の内部に置かれたパック２は、熱成形された本体が正面１２に向けられ、カバーフィルムが背面１１に向けられた状態となっている。ケース１の正面１２を凸形形状とした理由は、熱成形本体に、容器形成に有用な、突出様態で持ち上げられた面が形成されている、という事実によって説明される。逆に言えば、背面１１は平らであり、やはり全体的に平らなカバーフィルムと接触した状態で広がっている。
【００１５】
図１および図３に見られるように、ケース１の長さはパック２の長さにほぼ等しいが、幅はわずかに大きくなっている。よって、パック２はケース１に完全に覆われた状態となり、このことは、特に正面１２に当てはまる。その結果、図１および図３に示す未使用状態では、ケースが取り外し可能な密封部品２４を覆った形となる。
図１および図２に示す実施の形態では、パックはさらに２つの側面タブ２６を有し、これらは側面から外向きに、互いに反対方向に突き出している。これらのタブ２６は、ケース１に形成されたスロット１６内に挿入されている。タブ２６の位置におけるパック２の幅は、ケース１の幅よりも大きくなっており、そのため、タブ２６は、ケース１の各側面から、スロット１６を通して突き出た形となる。
【００１６】
ケース１のスロット１６の長さは、タブ２６の長さより大きくなっており、そのため、タブ２６は、スライドのようにスロット１６内を移動することができる。すなわち、これらのスライド２６は、スロット１６の２つの端１６１、１６２の間で移動できるようになっている。容易に理解できるように、ケース１内部でのパック２のスライド移動は、スロット１６内にスライド２６が挿入されていることによって、さらに具体的に言えば、スロット１６の端１６１、１６２でスライド２６が止められることによって、制限されている。
【００１７】
図１および図２に示す実施の形態では、パックが初期状態にある時（図１に示すように、全体がパック１の中に収容されている時）、スライド２６はスロット１６の端１６２で止められている。しかし、取り外し可能な密封部品２４がスライド移動させられてケース１の外に出た状態では、スライド２６はスロット１６の端１６１で止められている。効果的な構成として、端１６１でスライド２６が止まっている状態では、弱抵抗線２７とケース１の端１４とが重なって、取り外し可能な密封部品２４だけが外に出た形となる。
【００１８】
図１および図２に示す実施の形態では、パック２については、その取り外し可能な密封部品２４（さらに具体的に言えば、前記取り外し可能な密封部品２４のうちの部分２５）をつまんでパック２を引っぱるという形で、ケース１から取り出せばよい。取り外し可能な密封部品における当該部分２５は、ケース１の背面１１のうち開口部１４の端部の位置にあるスロットによって、外から見える状態になっている。これによって、ケース１上のスロット１５のところで、パック２の部分２５をつまむことができる。部分２５をつまめば、ユーザはパックを引っぱって、これをケース１内部でスライド移動させることができる。ケース内部でのパック２のスライド移動は、スライド２６がケース１のスロット１６の端１６１に当たって止まるという形で、速やかに制限される。その時点での状態は、図２に示すようなものであり、ここから、ユーザは、弱抵抗線２７までケース１の外に突き出した取り外し可能な密封部品２４を、折り曲げるか、破るか、切り取ることができる。取り外し可能な密封部品２４が切り取られると、ディスペンサは、ケース１で特徴付けられた元の形状に戻る。
【００１９】
また、スロットから外に突き出したスライド２６によって、パックをケース内部でスライド移動させることも可能である。その場合、スロット２５はもはや、パックを引っぱる上では必要ない。スライドにおいてパックをつまめば、パックを引っぱることもできる。
留意すべきは以下の点である。すなわち、図１および図２によるディスペンサをユーザが手にした際、パック２の全体がケース１の中に収まっている初期状態にあると、スライド２６はスロット１６の端１６２に当たって止まっており、ケース１内部にパック２を押し込む事はできない。すなわち、スロットの端１６２は、ケース１においてパック２がプッシュ様態でスライド移動させられることを防止する防止手段を形成している。スロットのもう一方の端１６１は、その役割として、限られた距離だけプル型のスライド移動が行われた後にこれを止める、プル型スライド移動止め手段を形成している。防止手段と止め手段とを組み合わせて用いることで、ケースからパックを取り出そうとするユーザは必然的に、特定のスライド移動方向にパックを移動させることになる。
【００２０】
当然のことながら、止め手段及び／又は防止手段については、パック２とケース１との相互作用を用いるものなど、上記以外の実施の形態も考えられる。
次いで、本発明に関する第２の実施の形態を示す図３、図４を参照する。ケース１内部のパック２については、図１及び図２に示したものとほぼ同一である。すなわち、熱成形された本体がフィルムで覆われた形であって、密封部品２４が弱抵抗線２７をはさんでパック２の残り部分に取り外し可能な様態で接続されており、当該線２７に沿って密封部分２４を折り曲げるか、破るか、切り取ることができる。
【００２１】
しかし、この第２の実施の形態におけるパック２は、スライドを形成する側面タブ２６を有していないという点で、図１、図２におけるパックとは異なる。
ケース１に関しては、開口部１４におけるスロット２５と側面スロット１６とを有していないという点で、図１および図２に示したケースとは異なる。しかし、ケース１は、背面１１の側で開口部１３の位置に設置された、ノッチ１６５を有する。パック２は、ノッチ１６５を通して、外から見えると共に手で触れることもできる。具体的に言えば、カバーフィルム２１のうち下側部分（取り外し可能な密封部品２４と反対の側の部分）が、ノッチ１６５を通して外から見える。
【００２２】
たとえば、ノッチ１６５の所で、指を使ってパック２を押せば、パックはケース１内部をスライド移動させられて、その結果、取り外し可能な密封部品２４が反対側の端部１４でケース１の外に出ることになる。ユーザがパックを押せる範囲は、自身の指がノッチ１６５のエッジにあたって止まる位置までである。よって、当該ノッチはプッシュ型止め手段を形成していることになる。パックの下側エッジがノッチ１６５の背面部の線にまで来た段階では、取り外し可能な密封部品２４は、その全体がケース１の外に出ており、開口部１４のエッジと弱抵抗線２７とが重なる状態となっている。
【００２３】
この第２の実施の形態では、プッシュ型止め手段は、パック２がプル型スライド移動させられてケース１から取り出されることを防ぐための防止手段を含んでいない。その分、図３および図４における実施の形態は非常に簡単な実施の形態となり、製造も極めて容易である。
しかしながら、同じディスペンサに対して、図３および図４におけるプッシュ型ノッチ１６５と、図１および図２においてスロット１６に挿入されたスライドシステム２６とを組み合わせて用いることも可能である。別の、そして、より一般的な言い方をすれば、ノッチ１６５とプッシュ型止め手段（効果的な、あるいは任意の構成として、パックが引き出されるのを防ぐ防止手段を含むもの）とを組み合わせて用いることが可能である。例えば、図１および図２の実施の形態におけるスロットとスライドシステム（図１、図２参照）を、図３および図４における実施の形態に組み込めば、初期状態でのスライド２６はスロットの端１６２にあたって止まっているので、ノッチ１６５の位置でパックを引っぱることによってパックをスライド移動させることは不可能である。また、その反対に、パックを押してスロット１６内でスライド２６をスライド移動させる場合、スライドがスロットの端１６１にあたって止まる位置まで動かすことができる。効果的な構成として、スライド２６が端１６１に当たって止まっている状態では、これに対応する形でパックの下側エッジがノッチ１６５の背面と同じ線にくる、としてもよい。この場合、２つのプッシュ型止め手段が同じディスペンサに組み込まれた構成となるが、それによって問題が起こることはない。また、スロット１６が末端１６の位置でより長くなっており、それによって、パック２の下側エッジがノッチ１の背面と同じ線に来た状態でも、スライド２６がスロットの端１６１に当たって止まる状態にはならない、という形も考えられる。この場合、スライドとスロットのシステムは、パックが引き抜かれるのを防ぐ、という１つの機能のみを果たす。
【００２４】
プル型またはプッシュ型の止め手段は、スライド移動を防止する手段と組み合わせるのが効果的であるが、ケース内部でのパックのスライド移動に関して方向や範囲を限定することで、この種のディスペンサを従来より簡単に使用できるようにする。
【図面の簡単な説明】
【００２５】
【図１】本発明に関する第１の実施の形態によるディスペンサの背面を示す概略斜視図であり、ケース内にパックがある、未使用の保管状態におけるディスペンサを示す図である。
【図２】図１におけるディスペンサを示す図であり、パックがケースから部分的に取り出されて、取り外し可能な密封部品が外に出ている状態を示す図である。
【図３】図１と同様の図であり、本発明に関する第２の実施の形態を示す図である。
【図４】図２と同様の図であり、図３に示した第２の実施の形態によるディスペンサを示す図である。
【図１】
2005510426.tif 000003
【図２】
2005510426.tif 000004
【図３】
2005510426.tif 000005
【図４】
2005510426.tif 000006
【国際調査報告】
2005510426.tif 000007
2005510426.tif 000008
2005510426.tif 000009
2005510426.tif 000010
2005510426.tif 000011
2005510426.tif 000012